(57)【要約】      （修正有）【課題】巻回部の内部に樹脂が十分に充填されたリアクトルを提供する。【解決手段】第一巻回部２Ａ及び第二巻回部２Ｂを有するコイル２と、内側コア部３１及び外側コア部３２を有する磁性コア３と、を備えるリアクトル１であって、内側コア部３１の少なくとも一部を覆う内側樹脂部と、外側コア部３２の少なくとも一部を覆う外側樹脂部６と、を備える。外側コア部３２は、コイル２に対向するコイル対向面に開口する第一溝部ｇ１と第二溝部ｇ２とを備える。第一溝部ｇ１（第二溝部ｇ２）の開口は、第一巻回部２Ａ（第二巻回部２Ｂ）の軸方向から見たときに、第一巻回部２Ａ（第二巻回部２Ｂ）の外周輪郭線と、第一巻回部２Ａ（第二巻回部２Ｂ）の内部に配置される内側コア部３１の外周輪郭線と、の間の第一領域（第二領域）に位置する。内側樹脂部と外側樹脂部６とは、第一溝部ｇ１と第二溝部ｇ２とを介して繋がっている。【選択図】図１
2019149431.tif 000002
【特許請求の範囲】
【請求項１】
第一巻回部及び第二巻回部を有するコイルと、
前記第一巻回部と前記第二巻回部のそれぞれの内部に配置される内側コア部、及び前記内側コア部と環状の磁路を形成する外側コア部を有する磁性コアと、を備えるリアクトルであって、
前記内側コア部の少なくとも一部を覆う内側樹脂部と、
前記外側コア部の少なくとも一部を覆う外側樹脂部と、を備え、
前記外側コア部は、前記コイルに対向するコイル対向面に開口する第一溝部と第二溝部とを備え、
前記第一溝部の開口は、前記第一巻回部の軸方向から見たときに、前記第一巻回部の外周輪郭線と、前記第一巻回部の内部に配置される前記内側コア部の外周輪郭線と、の間に位置し、
前記第二溝部の開口は、前記第二巻回部の軸方向から見たときに、前記第二巻回部の外周輪郭線と、前記第二巻回部の内部に配置される前記内側コア部の外周輪郭線と、の間に位置し、
前記内側樹脂部と前記外側樹脂部とは、前記第一溝部と前記第二溝部とを介して繋がっているリアクトル。
【請求項２】
前記第一溝部と前記第二溝部は、前記外側コア部の上面における一対の前記内側コア部に挟まれる位置に形成される請求項１に記載のリアクトル。
【請求項３】
前記外側コア部は、前記コイル対向面と反対側の外方面を有し、
前記第一溝部と前記第二溝部は、前記コイル対向面から前記外方面に及び、かつ一様な幅及び深さを有する請求項１又は請求項２に記載のリアクトル。
【請求項４】
前記第一溝部の前記開口の幅と、前記第二溝部の前記開口の幅は共に、１ｍｍ以上４ｍｍ以下である請求項１から請求項３のいずれか１項に記載のリアクトル。
【請求項５】
前記第一溝部の前記開口の全体が、前記第一巻回部の軸方向から見たときに、前記第一巻回部の端面に重複し、
前記第二溝部の前記開口の全体が、前記第二巻回部の軸方向から見たときに、前記第二巻回部の端面に重複する請求項１から請求項４のいずれか１項に記載のリアクトル。
【請求項６】
前記第一溝部の前記開口の一部が、前記第一巻回部の軸方向から見たときに、前記第一巻回部の端面に重複し、
前記第二溝部の前記開口の一部が、前記第二巻回部の軸方向から見たときに、前記第二巻回部の端面に重複する請求項１から請求項４のいずれか１項に記載のリアクトル。
【請求項７】
前記内側コア部の比透磁率は、５以上５０以下で、
前記外側コア部の比透磁率は、５０以上５００以下で、かつ前記内側コア部の比透磁率よりも高い請求項１から請求項６のいずれか１項に記載のリアクトル。
【請求項８】
前記内側コア部は、軟磁性粉末と樹脂とを含む複合材料の成形体で構成される請求項７に記載のリアクトル。
【請求項９】
前記外側コア部は、軟磁性粉末の圧粉成形体で構成される請求項７又は請求項８に記載のリアクトル。
【発明の詳細な説明】
【技術分野】
【０００１】
本発明は、リアクトルに関する。
【背景技術】
【０００２】
例えば、特許文献１には、巻線を巻回してなる巻回部を有するコイルと、閉磁路を形成する磁性コアとを備え、ハイブリッド自動車のコンバータの構成部品などに利用されるリアクトルが開示されている。このリアクトルの磁性コアは、巻回部の内部に配置される内側コア部と、巻回部の外部に配置される外側コア部と、に分けることができる。また、特許文献１には、コイルの巻回部の内部に樹脂を充填した構成が開示されている。
【先行技術文献】
【特許文献】
【０００３】
【特許文献１】特開２０１４−００３１２５号公報
【発明の概要】
【発明が解決しようとする課題】
【０００４】
特許文献１の構成では、巻回部の内部に十分な樹脂を充填できない場合がある。巻回部の内部への樹脂の充填が不十分であると、樹脂の充填が十分な場合に比べて樹脂で構成される部材（内側樹脂部）の強度が低下する。その結果、リアクトルの使用時の振動などによって樹脂が損傷する恐れがある。
【０００５】
本開示は、上記事情に鑑みてなされたものであり、巻回部の内部に樹脂が十分に充填されたリアクトルを提供することを目的の一つとする。
【課題を解決するための手段】
【０００６】
本開示のリアクトルは、
第一巻回部及び第二巻回部を有するコイルと、
前記第一巻回部と前記第二巻回部のそれぞれの内部に配置される内側コア部、及び前記内側コア部と環状の磁路を形成する外側コア部を有する磁性コアと、を備えるリアクトルであって、
前記内側コア部の少なくとも一部を覆う内側樹脂部と、
前記外側コア部の少なくとも一部を覆う外側樹脂部と、を備え、
前記外側コア部は、前記コイルに対向するコイル対向面に開口する第一溝部と第二溝部とを備え、
前記第一溝部の開口は、前記第一巻回部の軸方向から見たときに、前記第一巻回部の外周輪郭線と、前記第一巻回部の内部に配置される前記内側コア部の外周輪郭線と、の間に位置し、
前記第二溝部の開口は、前記第二巻回部の軸方向から見たときに、前記第二巻回部の外周輪郭線と、前記第二巻回部の内部に配置される前記内側コア部の外周輪郭線と、の間に位置し、
前記内側樹脂部と前記外側樹脂部とは、前記第一溝部と前記第二溝部とを介して繋がっている。
【発明の効果】
【０００７】
本開示のリアクトルは、巻回部の内部に樹脂が十分に充填されたリアクトルである。
【図面の簡単な説明】
【０００８】
【図１】実施形態１のリアクトルの斜視図である。
【図２】図１のリアクトルの概略側面図である。
【図３】図１のリアクトルに備わる磁性コアの概略斜視図である。
【図４】図１のリアクトルに備わる介在部材の概略正面図である。
【図５】図４の介在部材に内側コア部と外側コア部を組み合わせた状態を示す図である。
【図６】図１のリアクトルに備わる外側コア部の第一溝部と第二溝部の位置を説明する説明図である。
【図７】実施形態１のリアクトルの製造方法を説明する説明図である。
【発明を実施するための形態】
【０００９】
・本願発明の実施形態の説明
最初に本願発明の実施態様を列記して説明する。
【００１０】
＜１＞実施形態に係るリアクトルは、
第一巻回部及び第二巻回部を有するコイルと、
前記第一巻回部と前記第二巻回部のそれぞれの内部に配置される内側コア部、及び前記内側コア部と環状の磁路を形成する外側コア部を有する磁性コアと、を備えるリアクトルであって、
前記内側コア部の少なくとも一部を覆う内側樹脂部と、
前記外側コア部の少なくとも一部を覆う外側樹脂部と、を備え、
前記外側コア部は、前記コイルに対向するコイル対向面に開口する第一溝部と第二溝部とを備え、
前記第一溝部の開口は、前記第一巻回部の軸方向から見たときに、前記第一巻回部の外周輪郭線と、前記第一巻回部の内部に配置される前記内側コア部の外周輪郭線と、の間に位置し、
前記第二溝部の開口は、前記第二巻回部の軸方向から見たときに、前記第二巻回部の外周輪郭線と、前記第二巻回部の内部に配置される前記内側コア部の外周輪郭線と、の間に位置し、
前記内側樹脂部と前記外側樹脂部とは、前記第一溝部と前記第二溝部とを介して繋がっている。
【００１１】
上記構成のリアクトルは、外側コア部の外方側から樹脂をモールドし、外側コア部に形成した第一溝部と第二溝部を介してその樹脂を巻回部の内部に導くことで作製される。第一溝部と第二溝部が存在することで、巻回部の内部に樹脂が導入され易くなり、巻回部の内部に空隙などができ難い。第一溝部と第二溝部の軸方向端部が、外側コア部のコイル対向面に開口しているからである。外側コア部にモールドされた樹脂は、硬化（固化）することで外側樹脂部となり、溝部を介して巻回部の内部に充填された樹脂は、硬化することで内側樹脂部となる。空隙が少ない内側樹脂部は強度に優れるため、リアクトルの使用時の振動などによって内側樹脂部が損傷し難く、リアクトルの動作が安定する。
【００１２】
また、外側コア部に形成する樹脂の流路が、外側コア部を貫通する貫通孔ではなく外側コア部の外周に形成される溝部であることで、樹脂の流路を設けたことによる外側コア部の強度の低下を抑制できる。そのため、樹脂の充填圧力が高くても外側コア部が損傷し難い。また、外側コア部の外周に溝部を形成することは容易で、しかも外側コア部の外周に形成された溝部は外側コア部の磁気特性を低下させ難い。
【００１３】
＜２＞実施形態に係るリアクトルの一形態として、
前記第一溝部と前記第二溝部は、前記外側コア部の上面における一対の前記内側コア部に挟まれる位置に形成される形態を挙げることができる。
【００１４】
外側コア部の外方から樹脂をモールドして、その樹脂を第一巻回部（第二巻回部）と内側コア部との隙間に導く場合、当該隙間のうち、一対の内側コア部で挟まれる部分（コア間部分と呼ぶ）は、他の部分に比べて樹脂が充填され難い。これに対して、巻回部の軸方向から見たときに、外側コア部の上面における一対の内側コア部で挟まれる位置に両溝部を形成すれば、上記コア間部分に樹脂を充填し易くできる。
【００１５】
＜３＞実施形態に係るリアクトルの一形態として、
前記外側コア部は、前記コイル対向面と反対側の外方面を有し、
前記第一溝部と前記第二溝部は、前記コイル対向面から前記外方面に及び、かつ一様な幅及び深さを有する形態を挙げることができる。
【００１６】
外側コア部のコイル対向面と外方面とを繋ぐように両溝部を設けることで、外側コア部の外部から樹脂を充填する際、外側コア部から内側コア部に向う樹脂の流れを円滑にすることができる。また、外側コア部のコイル対向面と外方面とを繋ぐように両溝部を設けると共に、溝部の幅及び深さを一様とすることで、外側コア部の作製が容易になる。外側コア部を作製する際に、金型から外側コア部を抜き易くなるからである。
【００１７】
＜４＞実施形態に係るリアクトルの一形態として、
前記第一溝部の前記開口の幅と、前記第二溝部の前記開口の幅は共に、１ｍｍ以上４ｍｍ以下である形態を挙げることができる。
【００１８】
両溝部の開口の幅を１ｍｍ以上とすることで、外側コア部の外部から内側コア部に向って樹脂を充填し易くできる。また、両溝部の開口の幅を４ｍｍ以下とすることで、両溝部を設けたことによる外側コア部の磁気特性の低下を抑制できる。
【００１９】
＜５＞上記＜１＞から＜４＞のリアクトルの一形態として、
前記第一溝部の前記開口の全体が、前記第一巻回部の軸方向から見たときに、前記第一巻回部の端面に重複し、
前記第二溝部の前記開口の全体が、前記第二巻回部の軸方向から見たときに、前記第二巻回部の端面に重複する形態を挙げることができる。
【００２０】
第一溝部（第二溝部）の開口の全体が第一巻回部（第二巻回部）の端面に重複するということは、両溝部が、外側コア部における内側コア部との接続箇所から遠い位置に配置されているということである。このような構成によれば、第一溝部と第二溝部を設けたことによる磁性コアの磁気特性の低下を抑制でき、低損失なリアクトルとできる。
【００２１】
＜６＞上記＜１＞から＜４＞のリアクトルの一形態として、
前記第一溝部の前記開口の一部が、前記第一巻回部の軸方向から見たときに、前記第一巻回部の端面に重複し、
前記第二溝部の前記開口の一部が、前記第二巻回部の軸方向から見たときに、前記第二巻回部の端面に重複する形態を挙げることができる。
【００２２】
第一溝部（第二溝部）の開口の一部が第一巻回部（第二巻回部）の端面に重複するということは、前記開口の残部が、第一巻回部（第二巻回部）とその内部に配置される内側コア部との隙間に重複しているということである。つまり、溝部の開口が、樹脂を充填すべき上記隙間に近いため、巻回部の内部に樹脂が充填され易くなる。
【００２３】
＜７＞実施形態に係るリアクトルの一形態として、
前記内側コア部の比透磁率は、５以上５０以下で、
前記外側コア部の比透磁率は、５０以上５００以下で、かつ前記内側コア部の比透磁率よりも高い形態を挙げることができる。
【００２４】
外側コア部の比透磁率を内側コア部の比透磁率よりも高くすることで、両コア部間における漏れ磁束を低減できる。特に、両コア部の比透磁率の差を大きくすることで、両コア部間での漏れ磁束をより確実に低減できる。上記差によっては、上記漏れ磁束をかなり低減できる。また、上記形態では、内側コア部の比透磁率が低いため、磁性コア全体の比透磁率が高くなり過ぎることを抑制でき、ギャップレス構造の磁性コアとすることができる。
【００２５】
＜８＞上記＜７＞のリアクトルの一形態として、
前記内側コア部は、軟磁性粉末と樹脂とを含む複合材料の成形体で構成される形態を挙げることができる。
【００２６】
複合材料の成形体は、軟磁性粉末の量を調整することでその比透磁率を小さくし易い。そのため、複合材料の成形体であれば、比透磁率が上記＜７＞の範囲を満たす内側コア部を作製し易い。
【００２７】
＜９＞上記＜７＞又は＜８＞のリアクトルの一形態として、
前記外側コア部は、軟磁性粉末の圧粉成形体で構成される形態を挙げることができる。
【００２８】
圧粉成形体であれば、第一溝部と第二溝部を有する外側コア部を精度良く作製することができる。また、軟磁性粉末を緻密に含む圧粉成形体であれば、比透磁率が上記＜７＞の範囲を満たす外側コア部を作製し易い。
【００２９】
・本願発明の実施形態の詳細
以下、本願発明のリアクトルの実施形態を図面に基づいて説明する。図中の同一符号は同一名称物を示す。なお、本願発明は実施形態に示される構成に限定されるわけではなく、特許請求の範囲によって示され、特許請求の範囲と均等の意味および範囲内の全ての変更が含まれることを意図する。
【００３０】
＜実施形態１＞
実施形態１では、図１〜図７に基づいてリアクトル１の構成を説明する。図１に示すリアクトル１は、コイル２と磁性コア３と介在部材４とを組み合わせて構成される。リアクトル１は更に、コイル２に備わる第一巻回部２Ａと第二巻回部２Ｂの内部に配置される内側樹脂部５（図２参照）と、磁性コア３の一部を構成する外側コア部３２を覆う外側樹脂部６と、を備える。このリアクトル１の特徴の一つとして、外側コア部３２に第一溝部ｇ１と第二溝部ｇ２が形成されていることを挙げることができる。以下、リアクトル１に備わる各構成を詳細に説明すると共に、上記溝部ｇ１，ｇ２の形状や位置、その機能などについては、項目を設けて詳述する。
【００３１】
≪コイル≫
本実施形態のコイル２は、図１に示すように、一対の第一巻回部２Ａ及び第二巻回部２Ｂと、両巻回部２Ａ，２Ｂを連結する連結部２Ｒと、を備える。各巻回部２Ａ，２Ｂは、互いに同一の巻数、同一の巻回方向で中空筒状に形成され、各軸方向が平行になるように並列されている。本例では、別々の巻線２ｗにより作製した巻回部２Ａ，２Ｂを連結することでコイル２を製造しているが、一本の巻線２ｗでコイル２を製造することもできる。
【００３２】
本実施形態の各巻回部２Ａ，２Ｂは角筒状に形成されている。角筒状の巻回部２Ａ，２Ｂとは、その端面形状が四角形状（正方形状を含む）の角を丸めた形状の巻回部のことである。もちろん、巻回部２Ａ，２Ｂは円筒状に形成しても構わない。円筒状の巻回部とは、その端面形状が閉曲面形状（楕円形状や真円形状、レーストラック形状など）の巻回部のことである。
【００３３】
巻回部２Ａ，２Ｂを含むコイル２は、銅やアルミニウム、マグネシウム、あるいはその合金といった導電性材料からなる平角線や丸線などの導体の外周に、絶縁性材料からなる絶縁被覆を備える被覆線によって構成することができる。本実施形態では、導体が銅製の平角線（巻線２ｗ）からなり、絶縁被覆がエナメル（代表的にはポリアミドイミド）からなる被覆平角線をエッジワイズ巻きにすることで、各巻回部２Ａ，２Ｂを形成している。
【００３４】
コイル２の両端部２ａ，２ｂは、巻回部２Ａ，２Ｂから引き延ばされて、図示しない端子部材に接続される。両端部２ａ，２ｂではエナメルなどの絶縁被覆は剥がされている。この端子部材を介して、コイル２に電力供給を行なう電源などの外部装置が接続される。
【００３５】
≪磁性コア≫
磁性コア３は、図１，２に示すように、第一巻回部２Ａと第二巻回部２Ｂのそれぞれの内部に配置される内側コア部３１，３１と、内側コア部３１，３１と閉磁路を形成する外側コア部３２，３２と、を備える。
【００３６】
［内側コア部］
内側コア部３１は、磁性コア３のうち、コイル２の巻回部２Ａ，２Ｂの軸方向に沿った部分である。本例では、図２に示すように、磁性コア３のうち、巻回部２Ａ，２Ｂの軸方向に沿った部分の両端部が巻回部２Ａ，２Ｂの端面から突出している（内側コア部３１の端面３１ｅの位置を参照）。その突出する部分も内側コア部３１の一部である。
【００３７】
内側コア部３１の形状は、巻回部２Ａ（２Ｂ）の内部形状に沿った形状であれば特に限定されない。本例の内側コア部３１は、略直方体状である。内側コア部３１は、複数の分割コアとギャップ板とを連結した構成としても良いが、本例のように一つの部材とすると、リアクトル１の組み立てが容易となるため好ましい。
【００３８】
［外側コア部］
外側コア部３２は、磁性コア３のうち、巻回部２Ａ，２Ｂの外部に配置される部分である。外側コア部３２の形状は、一対の内側コア部３１，３１の端部を繋ぐ形状であれば特に限定されない。本例の外側コア部３２は、略直方体状である。この外側コア部３２は、コイル２の巻回部２Ａ，２Ｂの端面に対向するコイル対向面３２ｅと、コイル対向面３２ｅと反対側の外方面３２ｏと、周面３２ｓと、を有する。図２，３に示すように、外側コア部３２のコイル対向面３２ｅと、内側コア部３１の端面３１ｅと、は接触しているか、または接着剤を介して実質的に接触している。本例では、図３に示すように、外側コア部３２の周面３２ｓのうち、鉛直上方を向く上面３２ｕに第一溝部ｇ１と第二溝部ｇ２とが形成されている。両溝部ｇ１，ｇ２は、後述するように、内側樹脂部５となる樹脂を巻回部２Ａ，２Ｂの内部に充填する際に、樹脂の充填性を改善するためのものである。
【００３９】
［磁気特性・材質など］
内側コア部３１の比透磁率は５以上５０以下で、外側コア部３２の比透磁率は５０以上５００以下で、かつ内側コア部３１の比透磁率よりも高いことが好ましい。内側コア部３１の比透磁率は、更に１０以上４５以下、１５以上４０以下、２０以上３５以下とすることができる。一方、外側コア部３２の比透磁率は、更に８０以上、１００以上、１５０以上、１８０以上とすることができる。外側コア部３２の比透磁率を内側コア部３１の比透磁率よりも高くすることで、両コア部３１，３２間における漏れ磁束を低減できる。特に、両コア部３１，３２の比透磁率の差を大きくする、例えば外側コア部３２の比透磁率を内側コア部３１の比透磁率の２倍以上とすることで、両コア部３１，３２間での漏れ磁束をより低減できる。また、上記形態では、内側コア部３１の比透磁率が外側コア部３２の比透磁率に比べて低いため、磁性コア３全体の比透磁率が高くなり過ぎることを抑制でき、ギャップレス構造の磁性コア３とすることができる。
【００４０】
内側コア部３１と外側コア部３２は、軟磁性粉末を含む原料粉末を加圧成形してなる圧粉成形体、あるいは軟磁性粉末と樹脂との複合材料の成形体で構成することができる。圧粉成形体の軟磁性粉末は、鉄などの鉄族金属やその合金（Ｆｅ−Ｓｉ合金、Ｆｅ−Ｎｉ合金など）などで構成される軟磁性粒子の集合体である。軟磁性粒子の表面には、リン酸塩などで構成される絶縁被覆が形成されていても良い。原料粉末には潤滑材などが含まれていてもかまわない。
【００４１】
複合材料の軟磁性粉末には、圧粉成形体で使用できるものと同じものを使用できる。一方、複合材料に含まれる樹脂としては、熱硬化性樹脂、熱可塑性樹脂、常温硬化性樹脂、低温硬化性樹脂等が挙げられる。熱硬化性樹脂は、例えば、不飽和ポリエステル樹脂、エポキシ樹脂、ウレタン樹脂、シリコーン樹脂等が挙げられる。熱可塑性樹脂は、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリブチレンテレフタレート（ＰＢＴ）樹脂、アクリロニトリル・ブタジエン・スチレン（ＡＢＳ）樹脂等が挙げられる。その他、不飽和ポリエステルに炭酸カルシウムやガラス繊維が混合されたＢＭＣ（Ｂｕｌｋ  ｍｏｌｄｉｎｇ  ｃｏｍｐｏｕｎｄ）、ミラブル型シリコーンゴム、ミラブル型ウレタンゴム等も利用できる。上述の複合材料は、軟磁性粉末及び樹脂に加えて、アルミナやシリカ等の非磁性かつ非金属粉末（フィラー）を含有すると、放熱性をより高められる。非磁性かつ非金属粉末の含有量は、０．２質量％以上２０質量％以下、更に０．３質量％以上１５質量％以下、０．５質量％以上１０質量％以下が挙げられる。
【００４２】
複合材料中の軟磁性粉末の含有量は、３０体積％以上８０体積％以下であることが挙げられる。飽和磁束密度や放熱性の向上の観点から、磁性粉末の含有量は更に、５０体積％以上、６０体積％以上、７０体積％以上とすることができる。製造過程での流動性の向上の観点から、磁性粉末の含有量を７５体積％以下とすることが好ましい。複合材料の成形体では、軟磁性粉末の充填率を低く調整すれば、その比透磁率を小さくし易い。そのため、複合材料の成形体は、比透磁率が５以上５０以下を満たす内側コア部３１の作製に好適である。本例では、内側コア部３１を複合材料の形成体で構成し、その比透磁率を２０としている。
【００４３】
圧粉成形体は、複合材料の成形体よりも軟磁性粉末の含有量を高め易く（例えば８０体積％超、更に８５体積％以上）、飽和磁束密度や比透磁率がより高いコア片を得易い。そのため、圧粉成形体は、比透磁率が５０以上５００以下の外側コア部３２の作製に好適である。本例では、外側コア部３２を圧粉成形体で構成し、その比透磁率を２００としている。
【００４４】
≪介在部材≫
図１に示す本例のリアクトル１は更に、コイル２と磁性コア３との間に介在される介在部材４を備える。介在部材４は、代表的には絶縁材料からなり、コイル２と磁性コア３との間の絶縁部材や、巻回部２Ａ，２Ｂに対する内側コア部３１、外側コア部３２の位置決め部材として機能する。この例の介在部材４は、長方形の枠状部材であって、巻回部２Ａ，２Ｂに充填する樹脂の流路を形成する部材としても機能する。
【００４５】
以下、図４，５を参照して介在部材４の一例を説明する。図４は、介在部材４を外側コア部３２（図１）が配置される一面側からみた正面図であり、巻回部２Ａ，２Ｂ（図１）が配置される他面側は紙面奥であり、みえない。図５は、図４の介在部材４に内側コア部３１，３１と一方の外側コア部３２とが組み付けられた状態を示す図である。
【００４６】
介在部材４は、図４に示すように、一対の貫通孔４１ｈ，４１ｈと、各貫通孔４１ｈに設けられる複数の支持部４１と、コイル収納部（図示せず）と、コア収納部４２と、を備える。貫通孔４１ｈは介在部材４の厚み方向に貫通し、貫通孔４１ｈには図５に示すように内側コア部３１が挿通される。貫通孔４１ｈ，４１ｈを形成する内周面は巻回部２Ａ，２Ｂ（図１）の内周面に実質的に一致する。支持部４１は、貫通孔４１ｈの内周面から部分的に突出して内側コア部３１の四つの角部を支持する。コイル収納部は、図面上見えない介在部材４の他面側に設けられ、各巻回部２Ａ，２Ｂ（図１）の端面及びその近傍が嵌め込まれる。コア収納部４２は、介在部材４の一面側の一部が厚み方向に凹むことで形成され、外側コア部３２のコイル対向面３２ｅ及びその近傍が嵌め込まれる（図２を合わせて参照）。介在部材４の貫通孔４１ｈに嵌め込まれた内側コア部３１の端面３１ｅ（図５）はコア収納部４２の底面から突出する（後述する図７も参照）。そのため、コア収納部４２に嵌め込まれた外側コア部３２は、コア収納部４２の底部から離隔する。この外側コア部３２とコア収納部４２の底部とが離隔することで形成される隙間は、後述するように樹脂の流路となる。
【００４７】
本例の介在部材４では、図５に示すように、巻回部２Ａ，２Ｂがコイル収納部に嵌め込まれ、内側コア部３１，３１が各貫通孔４１ｈ，４１ｈに挿通された状態において、巻回部２Ａ，２Ｂと内側コア部３１との隙間に連通する四つの樹脂充填孔ｈ１，ｈ２，ｈ３，ｈ４が形成される。より具体的には、内側コア部３１の端面３１ｅの上端縁と貫通孔４１ｈ（図４）の内周面との間に樹脂充填孔ｈ１が形成され、上記端面３１ｅの外側縁と貫通孔４１ｈの内周面との間に樹脂充填孔ｈ２が形成される。また、上記端面３１ｅの内側縁と貫通孔４１ｈの内周面との間に樹脂充填孔ｈ３が形成され、上記端面３１ｅの下側縁と貫通孔４１ｈの内周面との間に樹脂充填孔ｈ４が形成される。樹脂充填孔ｈ１，ｈ２は、外側コア部３２に覆われていないが、樹脂充填孔ｈ３，ｈ４は外側コア部３２に覆われている。外側コア部３２に覆われる樹脂充填孔ｈ３，ｈ４からの樹脂の充填性を高めるために、本例のリアクトル１では外側コア部３２の上面３２ｕに第一溝部ｇ１と第二溝部ｇ２を設けている。
【００４８】
介在部材４は、例えば、ポリフェニレンスルフィド（ＰＰＳ）樹脂、ポリテトラフルオロエチレン（ＰＴＦＥ）樹脂、液晶ポリマー（ＬＣＰ）、ナイロン６やナイロン６６といったポリアミド（ＰＡ）樹脂、ポリブチレンテレフタレート（ＰＢＴ）樹脂、アクリロニトリル・ブタジエン・スチレン（ＡＢＳ）樹脂などの熱可塑性樹脂で構成することができる。その他、不飽和ポリエステル樹脂、エポキシ樹脂、ウレタン樹脂、シリコーン樹脂などの熱硬化性樹脂などで介在部材４を形成することができる。これらの樹脂にセラミックスフィラーを含有させて、介在部材４の放熱性を向上させても良い。セラミックスフィラーとしては、例えば、アルミナやシリカなどの非磁性粉末を利用することができる。
【００４９】
≪内側樹脂部≫
内側樹脂部５は、図２に示すように、第一巻回部２Ａ（図示しない第二巻回部２Ｂでも同様）の内部に配置され、第一巻回部２Ａの内周面と内側コア部３１の外周面とを接合する。内側樹脂部５は、第一巻回部２Ａの内周面と外周面との間に跨がることなく、第一巻回部２Ａの内部に留まっている。つまり、巻回部２Ａ，２Ｂの外周面は、図１に示すように、樹脂に覆われることなく外部に露出している。
【００５０】
内側樹脂部５は、例えば、エポキシ樹脂、フェノール樹脂、シリコーン樹脂、ウレタン樹脂などの熱硬化性樹脂や、ＰＰＳ樹脂、ＰＡ樹脂、ポリイミド樹脂、フッ素樹脂などの熱可塑性樹脂、常温硬化性樹脂、あるいは低温硬化性樹脂を利用することができる。これらの樹脂にアルミナやシリカなどのセラミックスフィラーを含有させて、内側樹脂部５の放熱性を向上させても良い。
【００５１】
この内側樹脂部５の内部には大きな空隙が殆ど形成されておらず、しかも小さな空隙も殆ど形成されていない。その理由は、後述するリアクトルの製造方法の項目で詳しく述べる。
【００５２】
≪外側樹脂部≫
外側樹脂部６は、図１，２に示すように、外側コア部３２における介在部材４から露出する外周面全体を覆うように配置され、外側コア部３２を介在部材４に固定すると共に、外側コア部３２を外部環境から保護する。本例の外側樹脂部６は、内側樹脂部５に繋がっている。つまり、外側樹脂部６と内側樹脂部５とは同じ樹脂で一度に形成されたものである。ここで、本例とは異なり、外側コア部３２の下面が外側樹脂部６から露出するようにしてもかまわない。その場合、外側コア部３２の下方部分のうち、介在部材４に嵌め込まれない部分（外方面３２ｏ側の部分）を、介在部材４の下面と面一になるように延設することが好ましい。リアクトル１の設置対象面に外側コア部３２の下面を直接接触させる、あるいは設置対象面と外側コア部３２の下面との間に接着剤や絶縁シートを介在させることで、外側コア部３２を含む磁性コア３の放熱性を高めることができる。
【００５３】
本例の外側樹脂部６は、介在部材４における外側コア部３２が配置される側に設けられ、巻回部２Ａ，２Ｂの外周面に及んでいない。外側コア部３２の固定と保護を行なうという外側樹脂部６の機能に鑑みれば、外側樹脂部６の形成範囲は図示する程度で十分であり、樹脂の使用量を低減できる点で好ましいと言える。もちろん、図示する例とは異なり、外側樹脂部６が巻回部２Ａ，２Ｂ側に及んでいても構わない。
【００５４】
≪第一溝部及び第二溝部≫
外側コア部３２に設けられる第一溝部ｇ１と第二溝部ｇ２については、図１，３，４，６を参照して説明する。ここで、図６は、図５から介在部材４を取り除いた状態を示す図である。
【００５５】
第一溝部ｇ１と第二溝部ｇ２は、外側コア部３２の外方から樹脂をモールドしたときに、その樹脂が、外側コア部３２に覆われる樹脂充填孔ｈ３，ｈ４（図５）に流入し易くするためのものである。その観点から、両溝部ｇ１，ｇ２は、図３に示すように、コイル対向面３２ｅに開口している必要がある。両溝部ｇ１，ｇ２は、外側コア部３２の周面３２ｓのどの位置に設けられていても良いが、本例では外側コア部３２の上面３２ｕで、かつ図６に示すように巻回部２Ａ，２Ｂの軸方向から見たときに一対の内側コア部３１間に挟まれる位置に設けられている。
【００５６】
第一溝部ｇ１の開口は、図６に示すように、第一巻回部２Ａの軸方向から見たときに、第一巻回部２Ａの外周輪郭線と、第一巻回部２Ａの内部に配置される内側コア部３１の外周輪郭線と、の間の第一領域Ｒ１に位置している。また、第二溝部ｇ２の開口は、第二巻回部２Ｂの軸方向から見たときに、第二巻回部２Ｂの外周輪郭線と、第二巻回部２Ｂの内部に配置される内側コア部３１の外周輪郭線と、の間の第二領域Ｒ２に位置している。溝部ｇ１，ｇ２の開口から、図５に示す外側コア部３２と介在部材４との隙間に流入した樹脂は、樹脂充填孔ｈ３や樹脂充填孔ｈ４から巻回部２Ａ，２Ｂ（図６参照）の内部に流入する。ここで、第一溝部ｇ１と第二溝部ｇ２とが繋がった一つの大きな溝部とすると、却って介在部材４と外側コア部３２との隙間に樹脂が流れ込み難くなるし、外側コア部３２が大きく切り欠かれるので外側コア部３２の磁気特性も低下し易い。
【００５７】
溝部ｇ１，ｇ２は、図３に示すように、コイル対向面３２ｅから外方面３２ｏに及び、かつ一様な幅及び深さを有することが好ましい。溝部ｇ１，ｇ２は、外方面３２ｏに及ばない長さであっても良いが、外方面３２ｏに及ぶ長さである方が、外側コア部３２の外部から樹脂をモールドする際、外側コア部３２から内側コア部３１に向う樹脂の流れを円滑にすることができる。また、外側コア部３２のコイル対向面３２ｅと外方面３２ｏとを繋ぐように両溝部ｇ１，ｇ２を設けると共に、溝部の幅及び深さを一様とすることで、外側コア部３２の作製が容易になる。外側コア部３２を作製する際に、金型から外側コア部３２を抜き易くなるからである。
【００５８】
図６に示す溝部ｇ１，ｇ２の開口の幅は１ｍｍ以上４ｍｍ以下とすることが好ましい。開口の幅とは、溝部ｇ１，ｇ２の対向する内壁間距離のうち、最大の内壁間距離のことである。本例の場合、溝部ｇ１，ｇ２の一方の内壁の上端と他方の内壁の上端との離隔距離が、溝部ｇ１，ｇ２の幅となる。溝部ｇ１，ｇ２の開口の幅を１ｍｍ以上とすることで、外側コア部３２の外部から内側コア部３１に向って樹脂を充填し易くできる。また、溝部ｇ１，ｇ２の開口の幅を４ｍｍ以下とすることで、溝部ｇ１，ｇ２を設けたことによる外側コア部３２の磁気特性の低下を抑制できる。より好ましい溝部ｇ１，ｇ２の幅は１ｍｍ以上２ｍｍ以下である。
【００５９】
溝部ｇ１，ｇ２の深さは１ｍｍ以上４ｍｍ以下とすることが好ましい。溝部ｇ１，ｇ２の深さとは、溝部ｇ１，ｇ２の上方開口部から最深部までの距離のことである。溝部ｇ１，ｇ２の深さを１ｍｍ以上とすることで、外側コア部３２の外部から内側コア部３１に向って樹脂を充填し易くできる。また、溝部ｇ１，ｇ２の深さを４ｍｍ以下とすることで、溝部ｇ１，ｇ２を設けたことによる外側コア部３２の磁気特性の低下を抑制できる。より好ましい溝部ｇ１，ｇ２の深さは１ｍｍ以上２ｍｍ以下である。
【００６０】
溝部ｇ１，ｇ２の延伸方向と直交する溝部ｇ１，ｇ２の内周面形状は特に限定されない。例えば、溝部ｇ１，ｇ２の内周面形状は、本例のような円弧状としても良いし、Ｖ字状としても良い。
【００６１】
その他、第一領域Ｒ１（第二領域Ｒ２）における第一溝部ｇ１（第二溝部ｇ２）の位置について述べる。まず、図６に示すように、第一溝部ｇ１（第二溝部ｇ２）の開口の全体が、第一巻回部２Ａ（第二巻回部２Ｂ）の軸方向から見たときに、第一巻回部２Ａ（第二巻回部２Ｂ）の端面に重複する形態を挙げることができる。この形態は、両溝部ｇ１，ｇ２が、図３に示すように、外側コア部３２における内側コア部３１との接続箇所から遠い位置に配置されている形態である。この場合、溝部ｇ１，ｇ２を設けたことによる磁性コア３の磁気特性の低下を抑制でき、低損失なリアクトル１（図１）とできる。
【００６２】
図６とは異なり、第一溝部ｇ１（第二溝部ｇ２）の開口の一部が、第一巻回部２Ａ（第二巻回部２Ｂ）の軸方向から見たときに、第一巻回部２Ａ（第二巻回部２Ｂ）の端面に重複する形態を挙げることができる。第一溝部ｇ１（第二溝部ｇ２）の開口の一部が第一巻回部２Ａ（第二巻回部２Ｂ）の端面に重複するということは、開口の残部が第一巻回部２Ａ（第二巻回部２Ｂ）とその内部に配置される内側コア部３１との隙間に重複しているということである。つまり、溝部ｇ１，ｇ２の開口が、樹脂を充填すべき上記隙間に近いため、巻回部２Ａ，２Ｂの内部に樹脂が充填され易くなる。
【００６３】
≪使用態様≫
本例のリアクトル１は、ハイブリッド自動車や電気自動車、燃料電池自動車といった電動車両に搭載される双方向ＤＣ−ＤＣコンバータなどの電力変換装置の構成部材に利用することができる。本例のリアクトル１は、液体冷媒に浸漬された状態で使用することができる。液体冷媒は特に限定されないが、ハイブリッド自動車でリアクトル１を利用する場合、ＡＴＦ（Ａｕｔｏｍａｔｉｃ  Ｔｒａｎｓｍｉｓｓｉｏｎ  Ｆｌｕｉｄ）などを液体冷媒として利用できる。その他、フロリナート（登録商標）などのフッ素系不活性液体、ＨＣＦＣ−１２３やＨＦＣ−１３４ａなどのフロン系冷媒、メタノールやアルコールなどのアルコール系冷媒、アセトンなどのケトン系冷媒などを液体冷媒として利用することもできる。本例のリアクトル１では、巻回部２Ａ，２Ｂの外部に露出しているため、リアクトル１を液体冷媒等の冷却媒体で冷却する場合には、巻回部２Ａ，２Ｂを冷却媒体に直接接触させられるので、本例のリアクトル１は放熱性に優れる。
【００６４】
≪効果≫
本例のリアクトル１では、巻回部２Ａ，２Ｂの内部に充填される内側樹脂部５に大きな空隙が殆ど形成されていない。大きな空隙がなく、小さな空隙も少ない内側樹脂部５は強度に優れるため、リアクトル１の使用時の振動などによって内側樹脂部５が損傷し難く、リアクトル１の動作が安定する。内側樹脂部５に空隙が形成され難い理由は、後述するリアクトルの製造方法で詳しく述べる。
【００６５】
また、本例のリアクトル１では、コイル２の巻回部２Ａ，２Ｂの外周が樹脂でモールドされておらず、外部環境に直接曝された状態となっているため、本例のリアクトル１は放熱性に優れたリアクトル１となる。リアクトル１を液体冷媒に浸漬された状態とすれば、リアクトル１の放熱性をより向上させることができる。
【００６６】
≪リアクトルの製造方法≫
次に、実施形態１に係るリアクトル１を製造するためのリアクトルの製造方法の一例を説明する。リアクトルの製造方法は、大略、次の工程を備える。
・コイル作製工程
・組付工程
・充填工程
・硬化工程
【００６７】
［コイル作製工程］
この工程では、巻線２ｗを用意し、巻線２ｗの一部を巻回することでコイル２を作製する。巻線２ｗの巻回には、公知の巻線機を利用することができる。巻線２ｗの表面に熱融着樹脂層を形成し、巻線２ｗを巻回して巻回部２Ａ，２Ｂを形成した後、コイル２を熱処理しても良い。その場合、巻回部２Ａ，２Ｂの各ターンを一体化でき、後述する充填工程を行い易い。
【００６８】
［組付工程］
この工程では、コイル２と磁性コア３と介在部材４とを組み合わせる。例えば、巻回部２Ａ，２Ｂの内部に内側コア部３１を配置し、一対の介在部材４，４をそれぞれ巻回部２Ａ，２Ｂの軸方向の一端側端面と他端側端面に当接させた第一組物を作製する。そして、その第一組物を一対の外側コア部３２で挟み込んだ第二組物を作製する。内側コア部３１の端面３１ｅと外側コア部３２のコイル対向面３２ｅは、接着剤などで接合することができる。
【００６９】
ここで、図５に示すように、外側コア部３２の外方側から第二組物を見たときに、外側コア部３２の側縁と上縁には、巻回部２Ａ，２Ｂの内部に樹脂を充填するための樹脂充填孔ｈ１，ｈ２が形成されている。また、外側コア部３２に覆われているものの、内側コア部３１の内側縁や下側縁にも樹脂充填孔ｈ３，ｈ４が形成されている。
【００７０】
［充填工程］
充填工程では、第二組物における巻回部２Ａ，２Ｂの内部に樹脂を充填する。本例では、図７に示すように、第二組物を金型７内に配置し、金型７内に樹脂を注入する射出成形を行なう。射出成形の圧力は、例えば１０ｔｏｎ／ｃｍ２以上である。
【００７１】
樹脂の注入は、金型７の二つの樹脂注入孔７０から行なう。樹脂注入孔７０は、外側コア部３２の外方面３２ｏに対応する位置に設けられており、樹脂の注入は、各外側コア部３２の外方側（外方面３２ｏ側）から行なわれる。金型７内に充填された樹脂は、外側コア部３２の外周を覆うと共に、外側コア部３２の外周面を回り込んで、図５の樹脂充填孔ｈ１，ｈ２を介して巻回部２Ａ，２Ｂの内部に流入する。また、外側コア部３２を覆う樹脂は、溝部ｇ１，ｇ２を介して、外側コア部３２のコイル対向面３２ｅと、介在部材４のコア収納部４２の底部と、の隙間に流入し、その隙間から更に図５の樹脂充填孔ｈ３，ｈ４を介して巻回部２Ａ，２Ｂの内部に流入する。
【００７２】
射出成形によって圧力を高くすることで、巻回部２Ａ，２Ｂ内に充填された樹脂は、巻回部２Ａ，２Ｂと内側コア部３１との狭い隙間に十分に行き渡る。外側コア部３２の外周に形成される溝部ｇ１，ｇ２は、外側コア部３２の強度を殆ど低下させないため、射出成形の圧力を高くしても、外側コア部３２に損傷が生じることはない。
【００７３】
［硬化工程］
硬化工程では、熱処理などで樹脂を硬化させる。硬化した樹脂のうち、巻回部２Ａ，２Ｂの内部にあるものは図２に示すように内側樹脂部５となり、外側コア部３２を覆うものは外側樹脂部６となる。
【００７４】
［効果］
以上説明したリアクトルの製造方法によれば、図１に示すリアクトル１を製造することができる。このリアクトル１では、特に溝部ｇ１，ｇ２を介した巻回部２Ａ，２Ｂへの樹脂の流入により、巻回部２Ａ，２Ｂの内部に十分な樹脂が充填されており、巻回部２Ａ，２Ｂの内部に形成される内側樹脂部５に大きな空隙ができ難い。
【００７５】
また、本例のリアクトルの製造方法では、内側樹脂部５と外側樹脂部６とを一体に形成しており、充填工程と硬化工程が１回ずつで済むので、生産性良くリアクトル１を製造することができる。
【００７６】
＜実施形態２＞
実施形態１のリアクトル１をケースに収納し、ポッティング樹脂でケース内に埋設しても構わない。例えば、実施形態１のリアクトルの製造方法に係る組付工程で作製した第二組物をケース内に収納し、ケース内にポッティング樹脂を充填する。その場合、外側コア部３２の外周を覆うポッティング樹脂が外側樹脂部６となる。また、外側コア部３２の溝部ｇ１，ｇ２を介して巻回部２Ａ，２Ｂ内に流入したポッティング樹脂が内側樹脂部５となる。
【符号の説明】
【００７７】
１  リアクトル
２  コイル  ２ｗ  巻線
２Ａ  第一巻回部  ２Ｂ  第二巻回部  ２Ｒ  連結部  ２ａ，２ｂ  端部
３  磁性コア
３１  内側コア部  ３１ｅ  端面
３２  外側コア部
３２ｅ  コイル対向面  ３２ｏ  外方面  ３２ｓ  周面  ３２ｕ  上面
４  介在部材
４１  支持部  ４１ｈ  貫通孔  ４２  コア収納部
５  内側樹脂部
６  外側樹脂部
７  金型  ７０  樹脂注入孔
ｇ１  第一溝部  ｇ２  第二溝部
ｈ１，ｈ２，ｈ３，ｈ４  樹脂充填孔
Ｒ１  第一領域  Ｒ２  第二領域
【図１】
2019149431.tif 000003
【図２】
2019149431.tif 000004
【図３】
2019149431.tif 000005
【図４】
2019149431.tif 000006
【図５】
2019149431.tif 000007
【図６】
2019149431.tif 000008
【図７】
2019149431.tif 000009